(57)【要約】【課題】      収納部の開口と蓋体の間に亘って設けたカバ−体を内方に向かうように形成したバックを提供することである。【解決手段】  ポケット部３の開口Ａの内側の両側にカバ−体６、６が夫々チャック５の内側の後側周回部３ａと前側周回部３ｂに取り付けられている。  カバ−体６、６は柔軟性を有する合成樹脂のシ−トや織布で夫々折曲部で重合するように、２つ折りにして２つの三角形状に形成されている。  カバ−体６、６の折曲部６ａ、６ａはポケット部３の内方に向かって突出され、三角形状部６ｂ、６ｃの上側に合成樹脂からなる弾性板７が囲い込まれ、弾性板７は三角形状部６ｂ、６ｃと一体で折曲部６ａで重合するように折り返されている。【選択図】        図２
2008237672.tif 000002
【特許請求の範囲】
【請求項１】
収納部の開口をヒンジ部により開閉可能に取り付けた蓋で閉塞したバックの前記開口と蓋体の間に亘ってカバ−体を設けたバックにおいて、前記カバ−体に内方に向かう折曲部を有する弾性板を設けたことを特徴とするバック。
【請求項２】
折曲部でカバ−体が重合されて重合状態が維持されるように接合されていることを特徴とする請求項１記載のバック。
【発明の詳細な説明】
【技術分野】
【０００１】
本発明は、開口をヒンジ部により開閉する蓋を有するバックに関する。
【背景技術】
【０００２】
従来特許文献１のようにヒンジ部を中心に２つのコ字形の開口部が開閉可能なバックの両側のＶ字状からＬ字状に開く側部開口から、収納物がこぼれ落ちないように側壁を設けた提案がある。
しかし、この側壁が開口部が開閉される際に開口の内側に折り込まれればよいが、開口の外側にはみ出すこともある。
【特許文献１】特開２０００−４９２０公報
【発明の開示】
【発明が解決しようとする課題】
【０００３】
解決しようとする問題点は、側壁が開口部が開閉される際に開口の内側に折り込まれればよいが、開口の外側にはみ出すこともあり、開口を確実に閉じることが出来ないことである。
【０００４】
本発明の目的は前記欠点に鑑み、収納部の開口と蓋体の間に亘って設けたカバ−体を内方に向かうように形成したバックを提供することである。
【課題を解決するための手段】
【０００５】
本発明の請求項１は、収納部の開口をヒンジ部により開閉可能に取り付けた蓋で閉塞したバックの前記開口と蓋体の間に亘ってカバ−体を設けたバックにおいて、前記カバ−体に内方に向かう折曲部を有する弾性板を設けたことを要旨とするものである。
本発明の請求項２は、折曲部でカバ−体が重合されて重合状態が維持されるように接合されていることを要旨とするものである。
【発明の効果】
【０００６】
本発明により、カバ−体は折曲部が内方向きになる弾性板を有しているので、蓋体を開閉する際にカバ−体が開閉の邪魔になることがなく、折曲部が内方向きになっているので収納物がこぼれ落ち難くなる。
【発明を実施するための最良の形態】
【０００７】
バックのポケット部３は前後の厚さの中間の後側周回部３ａと前側周回部３ｂと前板３ｃで形成され、前側周回部３ｂと前板３ｃで蓋体３ｄとなっている。
後側周回部３ａと前側周回部３ｂの底部が連結されてヒンジ部３ｅなっている。
後側周回部３ａと前側周回部３ｂのヒンジ部３ｅを除く周縁で開口Ａが形成され、周縁にチャック５が取り付けられている。
ポケット部３の開口Ａの内側の両側にカバ−体６、６が夫々チャック５の内側の後側周回部３ａと前側周回部３ｂに取り付けられている。
カバ−体６、６は柔軟性を有するポリ塩化ビニ−ル、エチレン酢酸ビニ−ル等の合成樹脂のシ−トや織布で夫々折曲部で重合するように、２つ折りにして２つの三角形状に形成されている。
カバ−体６は折曲部６ａを挟んで一方の三角形状部６ｂの端は後側周回部３ａに取り付けられ、折曲部６ａを挟んで他方の三角形状部６ｃの端は前側周回部３ｂに取り付けられている。
カバ−体６、６の折曲部６ａ、６ａはポケット部３の内方に向かって突出されている。
三角形状部６ｂ、６ｃの上側に合成樹脂からなる弾性板７が囲い込まれ、弾性板７は三角形状部６ｂ、６ｃと一体で折曲部６ａで重合するように折り返されている。
【実施例１】
【０００８】
以下、図示の一実施例によって本発明を説明すると、図１はバックの斜視図、図２はポケットの蓋体が開かれたバックの斜視図、図３はカバ−体の斜視図、図４はカバ−体の縦断面側面図、図５はカバ−体の上部の横断面平面図である。
【０００９】
バックをウェストベルトを有するタイプのバックで述べると、主収納部１の後側にウェストベルト２が取り付けられている。
主収納部１の前側にポケット部３が取り付けられている。
主収納部１とウェストベルト２とポケット部３は柔軟性を有するナイロン、ポリ塩化ビニ−ル、エチレン酢酸ビニ−ル等の合成樹脂のシ−トや織布を溶着や縫着で、つなぎ合わせて形成されている。
主収納部１の上部と両側には開口が形成されてチャック４が取り付けられている。
ポケット部３は前後の厚さの中間より後方の後側周回部３ａと中間より前方の前側周回部３ｂと前板３ｃで形成され、前側周回部３ｂと前板３ｃで蓋体３ｄとなっている。
後側周回部３ａと前側周回部３ｂの底部が連結されて蓋体３ｄを開閉する時に折曲可能にしたヒンジ部３ｅなっている。
ポケット部３の収納部Ｂ側の周辺に沿って設けた側壁の後側周回部３ａと蓋体３ｄの周辺に沿って設けた側壁の前側周回部３ｂのヒンジ部３ｅを除く周縁で開口Ａが形成され、周縁にチャック５が取り付けられている。
ポケット部３の開口Ａの内側の両側にカバ−体６、６が夫々チャック５の内側の後側周回部３ａと前側周回部３ｂに取り付けられている。
【００１０】
カバ−体６、６は柔軟性を有するナイロン、ポリ塩化ビニ−ル、エチレン酢酸ビニ−ル等の合成樹脂のシ−トや織布で夫々折曲部で重合するように、２つ折りにしてその両側は２つの三角形状に形成されている。
カバ−体６は折曲部６ａを挟んで一方の三角形状部６ｂの端は後側周回部３ａに取り付けられ、折曲部６ａを挟んで他方の三角形状部６ｃの端は前側周回部３ｂに取り付けられている。
カバ−体６、６の折曲部６ａ、６ａはカバ−体６、６の中央で開口Ａ方向に沿ってポケット部３の内方に向かって突出されている。
三角形状部６ｂ、６ｃの上側は図４のように、内側（下方）に折り返されて折り返された内側に合成樹脂からなる弾性板７が囲い込まれている。
弾性板７は図５のように、三角形状部６ｂ、６ｃにかけて一体に形成され、折曲部６ａで折曲部６ａの両側が重合するように折り返されている。
さらに折曲部６ａには折曲部６ａの両側の重合状態を維持するために糸Ｌによって縫着されて、カバ−体６が蓋体３ｄの開閉時に確実に開口Ａの内方に折り畳むことができるようにしている。
【００１１】
ポケット部３の開口Ａの内側の収納部Ｂ内に例えば発泡体の疑似餌取り付け部８が収納されて疑似餌９（ルア−、エギ）が取り付けられている。
疑似餌９には図示しない重りが取り付けられている。
【００１２】
前記のようにバックが構成されると、カバ−体６は折曲部６ａが内方向きになるように弾性板７を囲い込んで重合されているので、チャック５を開閉して蓋体３ｄを開閉する際にカバ−体６がチャック５の開閉の邪魔になることがなく、折曲部６ａが内方向きになっているので収納物がこぼれ落ち難くなる。
なお、折曲部６ａの両側を接着や溶着によって接合してその重合状態を維持するようにしてもよい。
【産業上の利用可能性】
【００１３】
本発明はバックの全般に利用できる。
【図面の簡単な説明】
【００１４】
【図１】バックの斜視図である。
【図２】ポケットの蓋体が開かれたバックの斜視図である。
【図３】カバ−体の斜視図である。
【図４】カバ−体の縦断面側面図である。
【図５】カバ−体の上部の横断面平面図である。
【符号の説明】
【００１５】
Ａ  開口
Ｂ  収納部
３ｄ  蓋体
３ｅ  ヒンジ部
６  カバ−体
６ａ  折曲部
７  弾性板
【図１】
2008237672.tif 000003
【図２】
2008237672.tif 000004
【図３】
2008237672.tif 000005
【図４】
2008237672.tif 000006
【図５】
2008237672.tif 000007